(57)【要約】【課題】簡易な方法で、就寝者（被測定者）の睡眠状態を適切に検出し、睡眠状態と、睡眠状態に基づく生活リズムを判定評価し、睡眠状態を改善するアドバイスを適切に出力可能な睡眠状態評価装置等を提供すること。【解決手段】睡眠状態を保存する保存手段と、前記保存された複数の睡眠状態に基づいて眠りの規則性を算出する算出手段と、前記眠りの規則性に基づいて睡眠の質を評価する評価手段と、を備えることを特徴とする。【選択図】図４
2015171555.tif 000002
【特許請求の範囲】
【請求項１】
睡眠状態を保存する保存手段と、
前記保存された複数の睡眠状態に基づいて眠りの規則性を算出する算出手段と、
前記眠りの規則性に基づいて睡眠の質を評価する評価手段と、
を備えることを特徴とする睡眠状態評価装置。
【請求項２】
前記眠りの規則性は、就床時刻及び／又は起床時刻の規則性であることを特徴とする請求項１に記載の睡眠状態評価装置。
【請求項３】
前記算出手段は、就床時刻及び／又は起床時刻の標準偏差を用いて眠りの規則性を算出することを特徴とする請求項１に記載の睡眠状態評価装置。
【請求項４】
前記保存手段は、被測定者の睡眠状態を所定時間毎に数日分保存することを特徴とする請求項１から３の何れか一項に記載の睡眠状態評価装置。
【請求項５】
前記評価手段は、前記眠りの規則性と、夜間の睡眠状態とに基づいて睡眠の質を評価することを特徴とする請求項１から４の何れか一項に記載の睡眠状態評価装置。
【請求項６】
前記評価手段により評価された睡眠の質に基づいて、評価レポートを出力する出力手段を更に備えることを特徴とする請求項１から５の何れか一項に記載の睡眠状態評価装置。
【請求項７】
寝具上の被測定者の振動を検出し、検出された振動に基づいて被測定者の睡眠状態を判定して出力する睡眠状態判定装置と、当該睡眠状態判定装置とに接続される睡眠状態評価装置とを含む睡眠状態評価システムにおいて、
前記睡眠状態評価装置は、
睡眠状態を保存する保存手段と、
前記保存された複数の睡眠状態に基づいて眠りの規則性を算出する算出手段と、
前記眠りの規則性に基づいて睡眠の質を評価する評価手段と、
を備えることを特徴とする睡眠状態評価システム。
【請求項８】
コンピュータに、
睡眠状態を保存する保存機能と、
前記保存された複数の睡眠状態に基づいて眠りの規則性を算出する算出機能と、
前記眠りの規則性に基づいて睡眠の質を評価する評価機能と、
を実現させるためのプログラム。
【発明の詳細な説明】
【技術分野】
【０００１】
本発明は、睡眠状態評価装置等に関する。
【背景技術】
【０００２】
従来から、就寝者（被測定者）の健康管理等のために、被測定者の睡眠状態を判定する方法が種々知られている。代表的な方法としては、睡眠ポリソムノグラフ（PSG; Polysomnography）や、アクチグラフ（Actigraph）等が知られている。
【０００３】
一例として、リアルタイムに被測定者の睡眠状態を判定する方法としては、例えば特許文献１が開示されている。すなわち、被測定者の体の動き（体動）を検知し、体動レベルが所定の検出時間の間に判定閾値を超えた場合には睡眠状態を「覚醒」と判定し、それ以下の場合には「睡眠」と判定としている。
【０００４】
このような技術を用いることにより、就寝者の睡眠を評価する装置が知られている。例えば、睡眠状態と、本人が入力した生活リズムの情報から、睡眠に関する健康管理をアドバイスする技術が知られている（例えば、特許文献２参照）。
【先行技術文献】
【特許文献】
【０００５】
【特許文献１】特開２００８−１４２２３８号公報
【特許文献２】特開２００８−０７１２６３号公報
【発明の概要】
【発明が解決しようとする課題】
【０００６】
しかし、上述のように、例えば生活リズムを利用者（就寝者）が自己申告をし、自己申告に基づいて生活リズムを測定する方法では、利用者が回答する手間がかかるといった問題があった。更に、自己申告の場合、客観的な生活リズムが判定される訳では無いため、必ずしも適切な睡眠状態の評価が行えないといった問題が生じていた。
【０００７】
特に、一日の生活リズムや睡眠状態を客観的に評価しようとすると、装着型の姿勢検知手段を従来は利用せざる得なく、利用者は評価中において姿勢検知手段を常に装着していなければならなかった。
【０００８】
また、姿勢検知手段を装着している場合、一日中装着していることから、ベッド以外で横になった場合でも、就床したと検知されてしまい、どこで横になったかという重要な情報が欠落してしまうといった問題点が生じていた。
【０００９】
上述した課題に鑑み、本発明の目的は、簡易な方法で、就寝者（被測定者）の睡眠状態を客観的に検出し、睡眠状態と、睡眠状態に基づく生活リズムを判定評価し、睡眠状態を改善するアドバイスを適切に出力可能な睡眠状態評価装置等を提供することである。
【課題を解決するための手段】
【００１０】
上述した課題に鑑み、本発明の睡眠状態評価装置は、
睡眠状態を保存する保存手段と、
前記保存された複数の睡眠状態に基づいて眠りの規則性を算出する算出手段と、
前記眠りの規則性に基づいて睡眠の質を評価する評価手段と、
を備えることを特徴とする。
【００１１】
本発明の睡眠状態評価システムは、
寝具上の被測定者の振動を検出し、検出された振動に基づいて被測定者の睡眠状態を判定して出力する睡眠状態判定装置と、当該睡眠状態判定装置とに接続される睡眠状態評価装置とを含む睡眠状態評価システムにおいて、
前記睡眠状態評価装置は、
睡眠状態を保存する保存手段と、
前記保存された複数の睡眠状態に基づいて眠りの規則性を算出する算出手段と、
前記眠りの規則性に基づいて睡眠の質を評価する評価手段と、
を備えることを特徴とする。
【００１２】
本発明のプログラムは、
コンピュータに、
睡眠状態を保存する保存機能と、
前記保存された複数の睡眠状態に基づいて眠りの規則性を算出する算出機能と、
前記眠りの規則性に基づいて睡眠の質を評価する評価機能と、
を実現させることを特徴とする。
【発明の効果】
【００１３】
本発明によれば、睡眠状態を保存し、保存された複数の睡眠状態に基づいて眠りの規則性を算出し、眠りの規則性に基づいて睡眠の質を評価することが可能となる。したがって、本人の負担（入力作業・生活リズムの記憶）を軽減し、生活リズム評価の客観性が向上する睡眠状態評価装置を提供することができる。
【図面の簡単な説明】
【００１４】
【図１】本実施形態における睡眠状態評価装置及び睡眠状態判定装置の外観を示す図である。
【図２】本実施形態における睡眠状態評価装置及び睡眠状態判定装置の外観を示す図である。
【図３】本実施形態における睡眠状態判定装置の機能構成を示す図である。
【図４】本実施形態における睡眠状態評価装置の機能構成を示す図である。
【図５】本実施形態における睡眠状態履歴情報のデータ構成を説明するための図である。
【図６】本実施形態における睡眠状況テーブルのデータ構成を説明するための図である。
【図７】本実施形態におけるアドバイステーブルのデータ構成を説明するための図である。
【図８】本実施形態における評価テーブルのデータ構成を説明するための図である。
【図９】本実施形態におけるメイン処理の動作について説明するための動作フローである。
【図１０】本実施形態における睡眠状態評価処理の動作について説明するための動作フローである。
【図１１】本実施形態における夜間睡眠時間評価処理の動作について説明するための動作フローである。
【図１２】本実施形態における生活リズム評価処理の動作について説明するための動作フローである。
【図１３】本実施形態における評価レポート出力処理の動作について説明するための動作フローである。
【図１４】本実施形態における評価レポートの一例を示した図である。
【発明を実施するための形態】
【００１５】
以下、図面を参照して本発明を実施するための最良の形態について説明する。
［１．システム外観］
図１は、睡眠状態評価装置１の使用方法について説明するための図である。睡眠状態評価装置１は、睡眠状態判定装置２から睡眠状態を受信することにより、睡眠状態を評価する機能を有する情報処理装置（例えば、コンピュータ等）である。
【００１６】
また、睡眠状態判定装置２は、ベッド１０の床部と、マットレス２０の間に載置されることとなる。マットレス２０に、被測定者（例えば、就寝者）Ｐが在床すると、マットレス２０を介して被測定者Ｐの体動（振動）を睡眠状態判定装置２が検出する。そして、検出された振動に基づいて、離床と在床とを判別し、在床と判別された場合には活動量が算出され、当該活動量に基づいて睡眠状態が判定される。そして、判定された睡眠状態が、無線を介して睡眠状態評価装置１に送信される。睡眠状態評価装置１では、被測定者Ｐの睡眠状態を評価することが可能となる。
【００１７】
ここで、睡眠状態判定装置２は、厚さが薄くなるようにシート状に構成されている。これにより、ベッド１０と、マットレス２０の間に載置されたとしても、被測定者Ｐに違和感を覚えさせることなく使用できることとなる。
【００１８】
図２は、本発明を適用した睡眠状態評価システム９の概略を説明するための図である。図１でも説明したが、本実施形態においては、睡眠状態評価装置１と、睡眠状態判定装置２とは、無線を介して接続されている。例えば、ＩＥＥＥ８０２．１１ｂ、Ｂｌｕｅｔｏｏｔｈ（登録商標）及びＺｉｇＢｅｅ（登録商標）等の無線通信や有線通信により接続されている。また、携帯電話モジュールを内蔵することにより、携帯電話網等のネットワークを介して接続されても良い。また、睡眠状態評価装置１は、睡眠状態判定装置２と直接通信をせず、記録媒体（例えば、ＳＤカード等）を介して睡眠状態を取得しても良い。
【００１９】
睡眠状態判定装置２は、本体部５０と、測定部６０とを備えて構成されている。ここで、測定部６０は、折りたたむことが可能である。これにより、睡眠状態判定装置２の可搬性を向上させている。
【００２０】
また、本体部５０には、通信部２３０が内蔵されている。通信部２３０の詳細は後述するが、通信部２３０を介して睡眠状態評価装置１に各種データ、状態が送信されることとなる。また、測定部６０には、振動検出部２１０が備えられている。
【００２１】
睡眠状態評価装置１は、本実施形態においては、コンピュータを用いて説明するが、例えば、携帯電話やスマートフォン等の携帯端末装置や、処理装置を接続した液晶テレビ等といった、情報処理装置であれば良い。
【００２２】
［２．機能構成］
続いて、睡眠状態評価装置１及び睡眠状態判定装置２の機構構成について、図を用いて説明する。
【００２３】
［２．１  睡眠状態判定装置］
まず、睡眠状態評価装置１が受信する睡眠状態について判定する睡眠状態判定装置２について説明する。睡眠状態判定装置２は、制御部２００に、振動検出部２１０と、記憶部２２０と、通信部２３０と、活動量算出部２４０とがバスを介して接続されている。
【００２４】
制御部２００は、睡眠状態判定装置２の動作を制御するための機能部であり、ＣＰＵ等、睡眠状態判定装置２に必要な制御回路によって構成されている。制御部２００は、記憶部２２０に記憶されている各種プログラムを読み出して実行することにより各種処理を実現することとなる。
【００２５】
振動検出部２１０は、被測定者の振動を検出するためのセンサ部である。振動検出部２１０は、例えば、圧力センサにより被測定者の振動（体動）を検出することとしても良いし、荷重センサにより、被測定者の荷重（体動）を検出することとしても良いし、マイクロフォンを設けることにより、マイクロフォンが拾う音に基づいて振動（体動）を検出しても良い。
【００２６】
記憶部２２０は、睡眠状態判定装置２が動作するための各種データ及びプログラムを記憶しておく機能部である。制御部２００は、記憶部２２０に記憶されているプログラムを読み出して実行する事により、各種機能を実現することとなる。ここで、記憶部２２０は、例えば半導体メモリ等により構成されている。
【００２７】
また、記憶部２２０には、外部の記録媒体が更に接続可能であっても良い。すなわち、後述する睡眠状態判定部２５０において判定された睡眠状態が、記録媒体に記録されることとなる。
【００２８】
通信部２３０は、ネットワークを介して接続されている睡眠状態評価装置１とデータを送受信するための機能部である。通信部２３０の一例としては、例えば有線接続や、Ｂｌｕｅｔｏｏｔｈ通信ユニットや、無線ＬＡＮアダプタ等の無線機器等が利用されている。
【００２９】
活動量算出部２４０は、振動検出部２１０により検出された振動から被測定者の活動量を算出するための機能部である。ここで、活動量の算出方法としては、種々の方法があるが、例えば、振動検出部２１０において、サンプリング単位時間当たりに検出された振動の回数を活動量として算出したり、振動検出部２１０において検出された振動の強弱を活動量として算出したりしても良い。
【００３０】
また、活動量算出部２４０が、出力する活動量としては、例えば出力される出力値をそのまま活動量として出力しても良いし、出力値の変化量、出力値や出力値の変化量が所定の閾値を超えたか否か（例えば超えたら「１」、閾値以下なら「０」）を出力しても良いし、出力値が所定の値の範囲を挟んで変化したかを出力しても良い。
【００３１】
睡眠状態判定部２５０は、活動量算出部２４０により算出された活動量に基づいて、睡眠状態を判定するための機能部である。例えば、睡眠状態を判定するための基準となる時刻から、４分前までの活動量を用いて、現在の睡眠状態を判定し、通信部２３０を介して睡眠状態評価装置１に送信する。
【００３２】
ここで、本実施形態において判定される睡眠状態は、被測定者が睡眠状態にある「睡眠」と、被測定者が覚醒状態にある「覚醒」と、被測定者が離床している場合の「離床」とが判定される。すなわち、「睡眠」及び「覚醒」と判定された場合は、被利用者は在床していることとなる。
【００３３】
［２．２  睡眠状態評価装置］
続いて、睡眠状態評価装置１の機能構成について、図４を用いて説明する。睡眠状態評価装置１は、制御部１００に、通信部１１０と、記憶部１２０と、入力部１５０と、表示部１６０とがバスを介して接続されている。
【００３４】
制御部１００は、睡眠状態評価装置１の動作を制御するための機能部であり、ＣＰＵ等、睡眠状態評価装置１に必要な制御回路によって構成されている。制御部１００は、記憶部１２０に記憶されている各種プログラムを読み出して実行することにより各種処理を実現することとなる。
【００３５】
通信部１１０は、睡眠状態判定装置２からデータを受信するための機能部であり、通信部２３０と通信可能な装置（インタフェース）にて構成されている。
【００３６】
記憶部１２０は、睡眠状態評価装置１が動作するための各種データ及びプログラムを記憶しておく機能部である。制御部１００は、記憶部１２０に記憶されているプログラムを読み出して実行する事により、各種機能を実現することとなる。ここで、記憶部１２０は、例えば半導体メモリや、磁気ディスク装置等により構成されている。
【００３７】
また、記憶部１２０は、睡眠状態履歴情報１２２と、睡眠状況テーブル１２４と、アドバイステーブル１２６と、評価テーブル１２８とが記憶されている。
【００３８】
睡眠状態履歴情報１２２は、睡眠状態判定装置２から入力された（受信された）睡眠状態について記憶している情報である。例えば、図５に示すように、日時毎に睡眠状態が記憶されている。
【００３９】
なお、本実施形態においては、睡眠状態としては１分ごとに記憶することとするが、例えば、３０秒毎や２分毎といった所定の時間間隔で記憶されれば良い。
【００４０】
また、例えば睡眠状態が同じ時間間隔を長くし（例えば、「睡眠」が連続している場合には１分毎）、睡眠状態が変化した場合には時間間隔を短くする（例えば、１秒毎）といった記憶方式であっても良い。
【００４１】
睡眠状況テーブル１２４は、睡眠状態履歴情報１２２に基づいて、日毎の睡眠状況について記憶するテーブルである。例えば、図６に示すように、日付毎に、睡眠時間（例えば、「３６５分」）と、寝付きまでの時間（例えば、「１３分」）と、睡眠効率（例えば、「９２．６％」）と、睡眠中に目が覚めた時間（覚醒した時間）（例えば、「１４分」）と、離床回数（例えば、「１回」）とを記憶している。
【００４２】
ここで、睡眠時間とは、就寝時刻から起床時刻までの睡眠時間の合計時間のことをいい、寝付きとは、就寝時刻から、最初にまとまった睡眠が現れるまでの時間（例えば、１０分以上持続する睡眠区間のはじまりまでの時間）のことをいう。
【００４３】
また、目が覚めた時間とは、入眠（寝つきで算出した最初の睡眠区間）から出眠（起床時刻から最も近い睡眠区間）までの間の覚醒時間の合計であり、睡眠効率とは、就寝時刻から起床時刻までの時間における睡眠時間の割合である。
【００４４】
アドバイステーブル１２６は、評価レポートに出力するアドバイスを記憶しているテーブルである。例えば、図７に示すように、アドバイスのコード（アドバイスコード）と、アドバイスメッセージとを記憶している。制御部１００は、当該アドバイスコードを参照することにより、適切なアドバイスメッセージを出力することが出来る。
【００４５】
評価テーブル１２８は、睡眠状態を評価する場合に利用するテーブルである。例えば、図８に示すように、評価項目が、評価点数毎の閾値と供に記憶されている。また、表示するアドバイスメッセージとして選択されるアドバイスコード（選択アドバイス）と、所定の点数の場合に強調表示されるアドバイスコード（強調アドバイス）とが、記憶されている。
【００４６】
詳細は後述するが、例えば「日中睡眠時間評価点数」を算出する場合には、日中の睡眠時間がパラメータとして利用される。そして、日中の睡眠時間が３０分未満であれば「５」点、３０分以上４５分未満であれば「４」点、４５分以上６０分未満であれば「３」点と、６０分以上７５分未満であれば「２」点、７５分以上９０分未満であれば「１」点、９０分以上であれば「０」点と、それぞれ算出される。
【００４７】
また、所定の点数以下の場合（例えば、「４」点以下の場合）には、選択アドバイスに記憶されているアドバイスコードに対応するアドバイスをアドバイステーブル１２６より読み出す。更に、所定の点数以下の場合（例えば、「２」点以下の場合）には、強調アドバイスのアドバイスコードを強調表示する（例えば、色を変えたり、太字にしたり、点滅にしたり、下線を付したり、フォントサイズを変更表示する）といったことが行われることとなる。
【００４８】
入力部１５０は、測定者が睡眠状態評価装置１（又は睡眠状態判定装置２）に対しての指示・操作を行うための機能部である。例えば、操作ボタンや、タッチパネル等により構成されている。
【００４９】
表示部１６０は、睡眠状態を表示したり、睡眠状態判定装置２及び睡眠状態評価装置１の動作について表示したりするための機能部である。例えば、液晶ディスプレイ等の表示装置により構成されている。
【００５０】
なお、表示部１６０に加えて、例えば印刷機能を有しても良い。例えば、睡眠状態を評価した結果を、表示部１６０とともに印刷機能により用紙に印刷しても良いし、表示部１６０に表示する代わりに印刷しても良い。
【００５１】
［３．処理の流れ］
続いて、本実施形態における睡眠状態評価装置１の処理の流れについて説明する。
【００５２】
［３．１  メイン処理］
まず、睡眠状態評価装置１において実行されるメイン処理について、図９を用いて説明する。まず、制御部１００により、睡眠状況判定処理が実行される（ステップＳ１００）。
【００５３】
ここで、睡眠状況判定処理とは、睡眠状態履歴情報１２２に基づいて、睡眠状況テーブル１２４を生成する処理である。例えば、夜間の睡眠時間を判定するためには、予め設定されている就寝時刻から起床時刻までの睡眠の合計時間を睡眠時間として判定する。
【００５４】
ここで、就床時刻及び起床時刻については、予め設定されても良いし、睡眠状態履歴情報１２２に基づいて自動的に判定されることとしても良い。
【００５５】
続いて、睡眠状態評価装置１により睡眠状態の評価レポートを作成するか否かを判定する（ステップＳ１０２）。ここで、評価レポートを作成しない場合には、他の処理を実行する（ステップＳ１０２；Ｎｏ）。
【００５６】
例えば、起床・就寝時刻を変更する処理が選択された場合には（ステップＳ１２０；Ｙｅｓ）、変更する日付が選択され（ステップＳ１２２）、選択された日付の起床・就床時刻が変更される（ステップＳ１２４）。
【００５７】
次に、評価レポートを作成すると選択された場合（ステップＳ１０２；Ｙｅｓ）、睡眠状態評価処理が実行される（ステップＳ１０４）。睡眠状態評価処理は、過去に記憶された睡眠状態（例えば、本実施形態では２週間分の睡眠状態）に基づいて、評価される。
【００５８】
更に、生活リズム評価処理が実行される（ステップＳ１０６）。生活リズム評価処理が実行されると、客観的な生活リズムが評価されることとなる。
【００５９】
そして、睡眠状態評価処理と、生活リズム評価処理により評価された内容に基づいて、評価レポート出力処理が実行される（ステップＳ１０８）。これにより、測定者は、被測定者の睡眠状態を客観的に評価することが可能となる。以下、各処理について詳細に説明する。
【００６０】
［３．２  睡眠状態評価処理］
まず、睡眠状態評価処理について、図１０を用いて説明する。睡眠状態評価処理は、主に夜間の睡眠について評価する処理であり、記憶部１２０に記憶されている睡眠状態評価プログラムが、制御部１００により読み出されて実行されることにより実現する処理である。これにより、各処理で各評価項目の評価点数が算出される。
【００６１】
まず、夜間睡眠時間評価処理が実行される（ステップＳ２００）。夜間の睡眠時間評価処理は、睡眠状況テーブル１２４に記憶されている睡眠時間に基づいて睡眠時間評価点数が算出される。
【００６２】
ここで、各評価項目における評価点数の算出方法は同様であるため一例として夜間睡眠時間評価処理について図１１を用いて説明する。
【００６３】
まず、所定期間（例えば、本実施形態の場合は２週間）の睡眠時間の平均値を算出する（ステップＳ３００）。続いて、算出された平均値に基づいて、夜間の睡眠評価点数を算出する（ステップＳ３０２）。
【００６４】
ここで、睡眠評価点数は、本実施形態では１０点満点であり、
６．５時間以上８時間未満・・・１０点
６時間以上６．５時間未満  又は  ８時間以上８．５時間未満・・・８点
５．５時間以上６時間未満  又は  ８．５時間以上９時間未満・・・６点
５時間以上５．５時間未満  又は  ９時間以上１０時間未満  ・・・４点
４．５時間以上５時間未満  又は  １０時間以上１１時間未満・・・２点
４．５時間未満  又は  １１時間以上・・・０点
と、当てはめて算出される。
【００６５】
このように、各評価点数を算出するときは、それぞれの値の平均値が利用される。また、上述の評価点数の算出方法は一例であり、上述の方法に限定されるものでは無い。すなわち、所定の評価する値に対して、評価点数が割り当てられる方法であれば良い。
【００６６】
次に、寝付き評価処理が実行される（ステップＳ２０２）。寝付き評価処理は、睡眠状況テーブル１２４に記憶されている寝付きまでの時間に基づいて寝付き評価点数が算出される。例えば、８分未満の場合は１０点、１０未満の場合は８、・・・、６０分以上の場合は０点となる。
【００６７】
続いて、睡眠効率評価処理が実行される（ステップＳ２０４）。睡眠効率評価処理は、睡眠状況テーブル１２４に記憶されている睡眠効率に基づいて評価点数が算出される。例えば、９５％以上の場合は１０点、９２．５％以上の場合は９点、・・・、７２．５％以上の場合は１点、７２．５％未満の場合は０点となる。
【００６８】
続いて、覚醒時間評価処理が実行される（ステップＳ２０６）。覚醒時間評価処理は、睡眠状況テーブル１２４に記憶されている目が覚めた時間、すなわち覚醒時間に基づいて評価点数が算出される。例えば、５分未満の場合は１０点、１０分未満の場合は９点、・・・、７０分未満の場合は１点、７０分以上の場合は０点となる。
【００６９】
続いて、離床回数評価処理が実行される（ステップＳ２０８）。離床回数評価処理は、睡眠状況テーブル１２４に記憶されている離床回数に基づいて、評価点数が算出される。例えば、０回の場合は１０点、０．１５回未満の場合は９点、・・・、２．５回未満の場合は１点、２．５回以上の場合は０点となる。
【００７０】
なお、離床回数評価処理は、離床回数ではなく、離床時間を求めて評価をしても良い。この場合、睡眠状況テーブル１２４に離床時間を改めて記憶するか、睡眠状態履歴情報１２２から離床時間を算出する。そして、離床時間に基づいて、評価点数が算出されることとなる。
【００７１】
このように、睡眠状況評価処理が実行されることにより、各評価点数がそれぞれ算出されることとなる。
【００７２】
［３．３  生活リズム評価処理］
続いて、生活リズム評価処理について、図１２を用いて説明する。生活リズム評価処理とは、被測定者の生活リズムについて客観的に評価するための処理である。
【００７３】
概略としては、睡眠状態履歴情報１２２及び睡眠状況テーブル１２４に基づいて各パラメータ値を算出する。この生活リズムについては５０点満点で評価され、「日中の過ごし方」「就床前の過ごし方」「眠りの習慣」「眠りの規則性」の４つの因子について評価点数が算出される。以下、第１因子についてまず詳細に説明し、各評価点数の算出処理及びアドバイス決定処理は同様の処理であるため第２因子から第４因子については発明の内容が理解出来る程度に説明する。
【００７４】
［３．３．１  第１因子「日中の過ごし方」］
まず、「日中の過ごし方」について評価するために、日中睡眠時間評価処理（ステップＳ４００）と、日中在床時間評価処理（ステップＳ４０２）とが実行される。
【００７５】
具体的には、まず日中睡眠時間評価処理は、日中の睡眠時間（１日の睡眠時間−夜間の睡眠時間）を算出する。算出された日中の睡眠時間に対応する評価点数を、評価テーブル１２８に基づいて５点満点で決定する。
【００７６】
例えば日中の睡眠時間が５０分の場合、「６０分未満」となる「３」点が日中睡眠時間評価点数となる。
【００７７】
同様に、日中在床時間評価処理は、日中の在床時間（１日の在床時間−夜間の在床時間）が算出され、算出された日中の在床時間に対応する評価点数を、評価テーブル１２８に基づいて５点満点で決定する。例えば、日中の在床時間が１５０分の場合、「１８０分未満」の「１」点が日中在床時間評価点数となる。なお、１８０分以上の場合は、評価点数は０点となる。
【００７８】
次に、第１因子の点数（１０点満点）とアドバイスが決定される（ステップＳ４０４）。上述の場合、第１因子の点数は３＋１＝４点となる。また、アドバイスとしては、図８に基づけば、選択アドバイスとして５，６，７，１３，１９が選択される。また、日中在床時間評価点数が１点であるため、アドバイス１３が強調表示されるアドバイスとして選択されることとなる。
【００７９】
［３．３．２  第２因子「就寝前の過ごし方」］
続いて、就寝前の過ごし方を評価するために、就寝前睡眠評価処理（ステップＳ４０６）と、就寝前在床評価処理（ステップＳ４０８）とが実行される。
【００８０】
具体的には、就寝前睡眠評価処理は、就寝前の居眠り（毎日の（入眠時刻−睡眠時間）の時刻）から就寝時刻までの睡眠時間の平均）に基づいて評価点数が算出される。
【００８１】
また、就寝前在床評価処理は、就寝前の在床時間（毎日の（入眠時刻−睡眠時間）の時刻）から就寝時刻までの在床時間の平均）に基づいて評価点数が算出される。
【００８２】
そして、算出された各評価点数から、第２因子の点数が１０点満点で算出され、アドバイスが決定される（ステップＳ４１０）。
【００８３】
［３．３．３  第３因子「眠りの習慣」］
続いて、眠りの習慣を評価するために、就床時間評価処理（ステップＳ４１２）、起床時在床評価処理（ステップＳ４１４）、起床時刻評価処理（ステップＳ４１６）、就床時刻評価処理（ステップＳ４１８）がそれぞれ実行される。
【００８４】
具体的には、就床時間評価処理は、夜ベッドにいる時間（平均就床時間（就床時刻から起床時刻までの時間））に基づいて４点満点で評価点数が算出される。
【００８５】
また、起床時在床評価処理は、朝、目が覚めてから寝床を離れるまでの時間（起床直前の睡眠区間の終わりから起床時刻までの時間の平均）に基づいて３点満点で評価点数が算出される。
【００８６】
また、起床時刻評価処理は、起床時刻（平均起床時刻）に基づいて３点満点で評価点数が算出される。
【００８７】
また、就床時刻評価処理は、就床時刻（平均就床時刻）に基づいて４点満点で評価点数が算出される。
【００８８】
そして、算出された各評価点数から第３因子の点数が１４点満点で算出され、アドバイスが決定される（ステップＳ４２０）。
【００８９】
［３．３．４  第４因子「眠りの規則性」］
続いて、眠りの規則性を評価するために、就床時刻規則性評価処理（ステップＳ４２２）、起床時刻規則性評価処理（ステップＳ４２４）がそれぞれ実行される。
【００９０】
具体的には、就床時刻規則性評価処理は、就床時刻の規則性（就床時刻の標準偏差）に基づいて８点満点で評価点数が算出される。
【００９１】
また、起床時刻規則性評価処理は、起床時刻の規則性（起床時刻の標準偏差）に基づいて８点満点で評価点数が算出される。
【００９２】
そして、算出された各評価点数から第４因子の点数が１６点満点で算出され、アドバイスが決定される（ステップＳ４２６）。
【００９３】
［３．４  評価レポート出力処理］
続いて、評価レポート出力処理について、図１３を用いて説明する。ここで、評価レポートは、液晶表示装置等の表示画面に表示されるように出力しても良いし、プリンタ等の印刷装置から、記録紙に印刷出力されても良い。また、接続される他のシステム（例えば電子カルテシステム）に出力されることとしても良い。
【００９４】
まず、睡眠状態履歴情報１２２から、睡眠日誌を生成する（ステップＳ５００）。ここで、睡眠日誌とは、睡眠状態履歴情報１２２の状態をグラフ上で表示するものである。なお、睡眠日誌については、生成しない（出力しない）こととしても良い。
【００９５】
続いて、睡眠状態評価処理（図９のステップＳ１０４）において評価された各評価点数に基づいて睡眠状態評価点数が出力される（ステップＳ５０２）。そして、生活リズム評価処理（図９のステップＳ１０６）において評価された各評価点数に基づいて、生活リズム評価点数が出力される（ステップＳ５０４）。
【００９６】
更に、生活リズム評価処理において、決定された各アドバイスについて、アドバイステーブル１２６から読み出して睡眠アドバイスとして出力される（ステップＳ５０６）。
【００９７】
このように、睡眠状態評価処理、生活リズム評価処理で評価された評価点数に基づく情報と、睡眠アドバイスが表示されることにより、評価レポートが出力される。
【００９８】
ここで、上述した出力される項目は、出力の要否を選択することが可能である。すなわち、夜間睡眠の各評価点数及び生活リズムの評価点数に基づく情報のみを出力することとしても良いし、睡眠アドバイスのみを出力することとしても良い。
【００９９】
また、上述の睡眠状態評価処理において、各評価項目の評価点数を算出する場合は、数日分（例えば、２週間）の睡眠状態の平均値に基づいて算出するが、例えば、睡眠状態評価処理については、前日のみに基づいて算出するとった処理も可能である。
【０１００】
［４．実施例］
続いて、上述の処理を実行した場合における実施例として、評価レポートの例を図１４を用いて説明する。図１４は、出力される評価レポートの一例を示した図である。
【０１０１】
評価レポートには、睡眠日誌（図１４のＲ１０）と、現在の睡眠評価（図１４のＲ１２）と、睡眠アドバイス（図１４のＲ１４）とが表示されている。測定者は、評価レポートを確認することにより、容易に被測定者の睡眠状態を把握することができる。
【０１０２】
なお、図１４の睡眠評価については、各評価点数をレーダーチャートで表しているが、例えば、各点数を具体的な数値として表示しても良いし、例えば円グラフ等他の形式で出力しても良い。また、レーダーチャート等とともに各項目の数値や点数を表示しても良い。
【０１０３】
このように、本実施形態によれば、本人の負担（入力作業・生活リズムの記憶）を軽減し、生活リズム評価の客観性が向上する睡眠状態評価装置を提供することができる。
【０１０４】
例えば、ベッドで過ごす時間が長すぎる、就床時刻や起床時刻が不規則、日中にベッドで過ごしたりして眠ってしまう、夜間に何回もトイレに行く等、ベッドの使用状況から不眠の原因を推定することができる。
【０１０５】
また、寝つきの時間や中途覚醒時間等の睡眠指標が同等でも、就床時刻や起床時刻が規則正しい人、日中にベッドから離れている人の方が睡眠の質は良いと推定することができる。
【０１０６】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１０７】
上述した実施形態において、睡眠状態評価処理においては評価テーブル１２８を用いず各評価点数を算出し、生活リズム評価処理において評価テーブル１２８を用いて各評価点数を算出したが、これに限られるものでは無い。
【０１０８】
すなわち、各評価点数を算出するためには、評価テーブル１２８のように閾値を記憶しておくこととしても良いし、プログラムで評価点数を算出することとしても良い。従って、パラメータを記憶することにより、睡眠状態評価処理においても評価テーブル１２８を利用することが可能である。評価テーブル１２８を利用することにより、例えば測定者がパラメータの値を変更することによって、適切な評価にすることが可能である。
【０１０９】
また、評価テーブル１２８は、例えば年齢や性別毎に記憶されても良い。これによって、例えば年齢毎に起床時刻等の適切な値を記憶することが可能となり、より適切な評価が行えることとなる。
【０１１０】
また、睡眠状態について、上述の実施形態においては、睡眠状態判定装置２で判定してから送信することとしたが、睡眠状態評価装置１で行っても良い。すなわち、図３の睡眠状態判定部２５０を睡眠状態評価装置１に記憶し、睡眠状態判定装置２から出力される活動量に基づいて睡眠状態評価装置１で睡眠状態を判定しても良い。更に、活動量算出部２４０を睡眠状態評価装置１に記憶させることにより、睡眠状態判定装置２は、振動検出部２１０で検出された情報だけを睡眠状態評価装置１に送信すれば良い。
【０１１１】
また、睡眠状況判定処理Ｓ１００や、睡眠状態評価処理Ｓ１０４、生活リズム評価処理Ｓ１０６等を、睡眠状態評価装置１に接続されるサーバで実行することとしても良い。すなわち、睡眠状態評価装置１から、睡眠状態をサーバに送信する。サーバ側で、睡眠状況判定処理Ｓ１００や、睡眠状態評価処理Ｓ１０４、生活リズム評価処理Ｓ１０６等を実行することにより、評価レポートが出力される。これにより、携帯端末といった処理性能が高くない端末であっても、適切に評価レポートを出力させることが可能となる。
【０１１２】
また、上述した実施形態では、睡眠状態判定装置２と、睡眠状態評価装置１とは１対１で説明したが、複数の装置を組み合わせても良い。例えば、介護施設や病院等において利用される場合は、被測定者（例えば、患者や要介護者）は複数であることが一般的であり、睡眠状態評価装置において複数の被測定者の睡眠状態を管理することとしても良い。また、測定者（例えば、看護師や介護スタッフ）が複数の場合もあるため、睡眠状態評価装置が複数であっても良い。
【符号の説明】
【０１１３】
１  睡眠状態評価装置
１００  制御部
１１０  通信部
１２０  記憶部
１２２  睡眠状態履歴情報
１２４  睡眠状況テーブル
１２６  アドバイステーブル
１２８  評価テーブル
１５０  入力部
１６０  表示部
２  睡眠状態判定装置
２００  制御部
２１０  振動検出部
２２０  記憶部
２３０  通信部
２４０  活動量算出部
２５０  睡眠状態判定部
【図３】
2015171555.tif 000003
【図４】
2015171555.tif 000004
【図５】
2015171555.tif 000005
【図６】
2015171555.tif 000006
【図７】
2015171555.tif 000007
【図８】
2015171555.tif 000008
【図９】
2015171555.tif 000009
【図１０】
2015171555.tif 000010
【図１１】
2015171555.tif 000011
【図１２】
2015171555.tif 000012
【図１３】
2015171555.tif 000013
【図１】
2015171555.tif 000014
【図２】
2015171555.tif 000015
【図１４】
2015171555.tif 000016